(57)【要約】【課題】照明室の奥行きが小さくても照明室のパネルを広範囲に亘って照明することのできる遊技機用照明装置を提供する。【解決手段】複数の発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄを搭載した回路基板２１と、複数の発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄを覆う半円筒状の拡散板２２を備えた遊技機用照明装置２０であって、回路基板２１を拡散板２２に取り付け、拡散板２２を遊技機本体内に取り付ける。【選択図】  図７
2013118925.tif 000002
【特許請求の範囲】
【請求項１】
複数の発光ダイオードを搭載した回路基板と、前記複数の発光ダイオードを覆う半円筒状の拡散板とを備えた遊技機用照明装置であって、
前記回路基板を拡散板に取り付け、
該拡散板を遊技機本体内に取り付けることを特徴とする遊技機用照明装置。
【請求項２】
前記拡散板に取付部を一体形成し、この取付部を遊技機本体内に取り付けることを特徴とする請求項１に記載の遊技機用照明装置。
【請求項３】
前記発光ダイオードを実装した回路基板の面に、該発光ダイオードを発光させるための電子部品を実装したことを特徴とする請求項１または請求項２に記載の遊技機用照明装置。
【発明の詳細な説明】
【技術分野】
【０００１】
この発明は、例えばスロットマシンなどの遊技機に使用される照明装置に関する。
【背景技術】
【０００２】
従来から、スロットマシンなどの遊技機に搭載される照明装置として、複数の発光ダイオードを実装した遊技機用照明装置が知られている（特許文献１参照）。
【０００３】
かかる遊技機用照明装置は、回路基板に複数の発光ダイオードを実装し、この回路基板を長尺状の支持体に取り付け、複数の発光ダイオードを覆う半円筒状の拡散板を支持体に取り付け、この支持体を壁などに取り付けるようにしたものである。
【０００４】
照明装置は、遊技機本体の照明室内の壁などに取り付けられて照明室の前面に設けたパネルを背後から照明するものである。
【先行技術文献】
【特許文献】
【０００５】
【特許文献１】特開２００７−１５１９２４号公報
【発明の概要】
【発明が解決しようとする課題】
【０００６】
しかしながら、このような遊技機用照明装置にあっては、支持体の上に回路基板が取り付けられているので、支持体の底面から半円筒状の拡散板の頂部までの高さが高くなる。このため、照明室の奥行きが小さい場合、支持体の底面を照明室の壁に取り付けると、照明室の前面のパネルと拡散板の頂部との間の離間距離が短くなり、パネルを広範囲に亘って照明することが出来なくなってしまう問題があった。
【０００７】
この発明の目的は、照明室の奥行きが小さくても照明室のパネルを広範囲に亘って照明することのできる遊技機用照明装置を提供することにある。
【課題を解決するための手段】
【０００８】
請求項１の発明は、複数の発光ダイオードを搭載した回路基板と、前記複数の発光ダイオードを覆う半円筒状の拡散板とを備えた遊技機用照明装置であって、
前記回路基板を拡散板に取り付け、
該拡散板を遊技機本体内に取り付けることを特徴とする。
【発明の効果】
【０００９】
この発明によれば、照明室の奥行きが小さくても照明室のパネルを広範囲に亘って照明することができる。
【図面の簡単な説明】
【００１０】
【図１】この発明の遊技機用照明装置を搭載したスロットマシーンを示した正面図である。
【図２】図１に示すスロットマシーンの側面図である。
【図３】この発明に係る遊技機用照明装置の外観を示した斜視図である。
【図４】図３に示す遊技機用照明装置の断面図である。
【図５】遊技機用照明装置の回路基板を示した平面図である。
【図６】遊技機用照明装置の回路の構成を示した回路図である。
【図７】発光ダイオードの光の広がり状態を示した説明図である。
【図８】発光ダイオードの他の配置を示した説明図である。
【図９】第２実施例の拡散板を示した斜視図である。
【発明を実施するための最良の形態】
【００１１】
以下、この発明に係る遊技機用照明装置の実施の形態である実施例を図面に基づいて説明する。
【実施例】
【００１２】
［第１実施例］
図１及び図２は、この発明に係る遊技機用照明装置を搭載した遊技機であるスロットマシン１０を示す。このスロットマシン１０は、筐体１１の中央に透明な表示窓１２と、この表示窓１２の上と下に設けたパネル１３,１４とを有している。  表示窓１２の裏側には３個のリールを並設したリールユニット１５が設けられており、リールユニット１５には等間隔で配列された複数の図柄が配設され、この図柄が表示窓１２から見られるようになっている。
【００１３】
パネル１３,１４には、例えば登場キャラクターの絵柄(図示せず)などが印刷されている。
【００１４】
パネル１３,１４は、筐体１１の上部及び下部に形成した照明室１６,１７の前面に取り付けられており、照明室１６,１７の後壁（または枠部材）１６Ａ,１７Ａには遊技機用照明装置２０,２０が取り付けられている。
【００１５】
遊技機用照明装置２０は、図３及び図４に示すように、回路基板２１と、この回路基板２１に着脱可に取り付けられた半円筒状の乳白色の拡散板２２と、拡散板２２の両端部に着脱可能に装着されたキャップ２３,２４とを備えている。
【００１６】
拡散板２２の両端側には、ネジ孔２２ａ〜２２ｄを有する取付部２２Ａ〜２２Ｄが側方に突出して一体形成されている。
【００１７】
回路基板２１は、図５に示すように、上面２１Ａには発光ダイオード３１Ａ〜３１Ｄ,３２Ａ〜３２Ｄ,３３Ａ〜３３Ｄ,３４Ａ〜３４Ｄが実装され、発光ダイオード３１Ａ〜３１Ｄ,３２Ａ〜３２Ｄ,３３Ａ〜３３Ｄ,３４Ａ〜３４Ｄは一列に配列されている。
【００１８】
また、回路基板２１の上面２１Ａには、発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄを点灯させるための駆動電流を出力するレギュレータ（電子部品）３８と、保護用の抵抗（電子部品）Ｒ１〜Ｒ４と、ノイズ除去用のコンデンサ（電子部品）Ｃ１とが実装されている。また、回路基板２１の上面２１Ａには、レギュレータ３８から発光ダイオード３１Ａ〜３１Ｄ,３２Ａ〜３２Ｄ,３３Ａ〜３３Ｄ,３４Ａ〜３４Ｄへ駆動電流を流すための配線パターンが形成されている。
【００１９】
図６は回路基板２１上に形成された遊技機用照明装置２０の回路を示す。並列接続された発光ダイオード３１Ａ〜３１Ｄと並列接続された発光ダイオード３２Ａ〜３２Ｄとは直列接続され、並列接続された発光ダイオード３３Ａ〜３３Ｄと並列接続された発光ダイオード３４Ａ〜３４Ｄとは直列接続され、並列接続された発光ダイオード３５Ａ〜３５Ｄと並列接続された発光ダイオード３６Ａ〜３６Ｄとは直列接続されている。
【００２０】
１２Ｖの直流電源４０は、１００Ｖの交流電圧を１２Ｖの直流電圧に変換して出力するＡＣ／ＤＣコンバータ(図示せず)であり、スロットマシン１０の筐体１１に設ける。
【００２１】
遊技機用照明装置２０は、発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄや他の電子部品３８などを実装した回路基板２１を図４に示すように拡散板２２に取り付け、この拡散板２２に図３に示すようにキャップ２３,２４を装着する。なお、キャップ２４には、図５に示す回路基板２１のランドＬａ,Ｌｂに接続されたコネクタ(図示せず)が引き出されている。
【００２２】
この拡散板２２の取付部２２Ａ〜２２Ｄ（２２Ｃ,２２Ｄは図示せず）を図７に示すようにネジＮによって照明室１６の後壁１６Ａに固定することによって遊技機用照明装置２０を照明室１６に取り付ける。同様にして、別の遊技機用照明装置２０を照明室１７の後壁１７Ａに取り付ける。
【００２３】
キャップ２４から引き出されている図示しないコネクタを直流電源４０に接続されたコネクト(図示せず)に接続する。
【００２４】
これにより、直流電源４０からの１２Ｖの電圧が回路基板２１のランドＬａ,Ｌｂを介してレギュレータ３８に供給され、レギュレータ３８から発光ダイオード３１Ａ〜３１Ｄ,３２Ａ〜３２Ｄ,３３Ａ〜３３Ｄ,３４Ａ〜３４Ｄへ駆動電流が供給され、各発光ダイオード３１Ａ〜３１Ｄ,３２Ａ〜３２Ｄ,３３Ａ〜３３Ｄ,３４Ａ〜３４Ｄが発光する。発光ダイオードは指向性が強いことにより、各発光ダイオード３１Ａ〜３１Ｄ,３２Ａ〜３２Ｄ,３３Ａ〜３３Ｄ,３４Ａ〜３４Ｄから発光した光は図７の矢印で示すようにその広がり角が小さく、拡散板２２に到達することになる。
【００２５】
遊技機用照明装置２０は、回路基板２１を支持体に取り付けていないので、その分パネル１３から拡散板２２及び発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄが遠ざかることになる。すなわち、パネル１３と拡散板２２の頂部との間の離間距離が長くなる。
【００２６】
このため、図７に示すように、拡散板２２で拡散された発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄの光はパネル１３全体を均一に照明することになる。
【００２７】
すなわち、奥行きの小さい照明室１６であっても、指向性の強い発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄの光でパネル１６全体を均一に照明することができる。つまり、パネル１６を広範囲に渡って均一に照明することができる。
【００２８】
ちなみに、従来のように支持体に回路基板２１を設け、この支持体を照明室１６の後壁１６Ａに取り付けると、鎖線の位置に拡散板２２が位置し、パネル１３と拡散板２２の頂部との間の離間距離が小さくなる。このため、拡散板２２で拡散される発光ダイオードの光は、パネル１３全体を照明することができない。
【００２９】
照明室１７に設けた遊技機用照明装置２０も上記と同様にパネル１４全体を照明することができる。
【００３０】
上記実施例では、発光ダイオード３１Ａ〜３１Ｄ,３２Ａ〜３２Ｄ,３３Ａ〜３３Ｄ,３４Ａ〜３４Ｄ,３５Ａ〜３５Ｄ,３６Ａ〜３６Ｄを回路基板２１の長手方向に沿って１列に配置したが、図８に示すように、２列となるように交互に配置してもよい。このように、配置すればより一層パネル１３,１４全体を均一に照明することができる。
［第２実施例］
図９は第２実施例の半円筒状の拡散板１２２を示したものである。この拡散板１２２は、両端に側壁１２３,１２４を一体形成したものであり、第１実施例のキャップ２３,２４を設けずに済むようにしたものである。一方の側壁１２３には、回路基板２１のランドＬａ,Ｌｂ（図５参照）に接続されるコネクタ(図示せず)のリード線を引き出すための切欠１２３ａ,１２３ａが設けられている。他の構成は第１実施例と同様なのでその説明は省略する。
【００３１】
ところで、図９に示す取付部２２Ａ〜２２Ｄは、拡散板１２２の周壁部に設けているが、鎖線で示すように拡散板１２２の側壁１２３,１２４に取付部１２３Ａ,１２４Ａを一体形成してもよい。
【００３２】
この発明は、上記実施例に限られるものではなく、特許請求の範囲の発明の要旨を逸脱しない限り、設計の変更や追加等は許容される。
【符号の説明】
【００３３】
２０              遊技機用照明装置
２１              回路基板
２２              拡散板
２２Ａ〜２２Ｄ    取付部
３１Ａ〜３１Ｄ    発光ダイオード
３２Ａ〜３２Ｄ    発光ダイオード
３３Ａ〜３３Ｄ    発光ダイオード
３４Ａ〜３４Ｄ    発光ダイオード
３５Ａ〜３５Ｄ    発光ダイオード
３６Ａ〜３６Ｄ    発光ダイオード
３８              レギュレータ（電子部品）
Ｃ１              コンデンサ（電子部品）
Ｒ１〜Ｒ４        抵抗（電子部品）
【図１】
2013118925.tif 000003
【図２】
2013118925.tif 000004
【図３】
2013118925.tif 000005
【図４】
2013118925.tif 000006
【図５】
2013118925.tif 000007
【図６】
2013118925.tif 000008
【図７】
2013118925.tif 000009
【図８】
2013118925.tif 000010
【図９】
2013118925.tif 000011